(57)【要約】【課題】ディスク媒体から信号の読み込み若しくは書き込み又は読み書きを行うディスク装置であって、ディスク媒体が装置の奥行き方向に入り込んでしまうことを防止したディスク装置の提供。【解決手段】フレーム１１の両側壁の内面であって、ディスク媒体２の中心よりも奥側となる部分において、装置内部側に突出させたディスク媒体入り込み防止用のリブ１７を当該リブの両先端部分の間隔が少なくともディスク媒体２の外径よりも小さくなるように、且つ、クランプ機構に挟持された状態におけるディスク媒体２に接触することが無いように形成することにより、当該ディスク媒体入り込み防止用のリブ１７によってディスク媒体２が装置の奥行き方向に入り込むことを防止する。【選択図】図１
2007149270.tif 000002
【特許請求の範囲】
【請求項１】
ディスク媒体から信号の読み込み若しくは書き込み又は読み書きを行うディスク装置であって、当該ディスク装置の外枠を構成するフレームに対して摺動可能に設けられる前記ディスク媒体を載置するためのディスクトレイと、前記ディスク媒体を挟持するためのクランプ機構とを備え、前記フレーム両側壁の内面の、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とするディスク媒体入り込み防止リブを備えたディスク装置。
【請求項２】
前記ディスク媒体入り込み防止用のリブを、前記ディスク装置における高さ方向の寸法において、前記ディスク媒体入り込み防止用のリブの下端部が前記ディスクトレイ上に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする請求項１記載のディスク媒体入り込み防止リブを備えたディスク装置。
【請求項３】
ディスク媒体から信号の読み込み若しくは書き込み又は読み書きを行うディスク装置であって、当該ディスク装置の外枠を構成するフレームに対して摺動可能に設けられ且つ前記ディスク媒体を載置するためのディスク載置凹部が形成されたディスクトレイと、前記ディスク媒体を挟持するためのクランプ機構とを備え、少なくとも前記ディスク載置凹部の幅方向の寸法を前記ディスク媒体の外径よりも小さく形成して前記ディスク載置凹部から前記ディスク媒体の一部を突出させ、前記フレーム両側壁の内面において、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とするディスク媒体入り込み防止リブを備えたディスク装置。
【請求項４】
前記ディスク媒体入り込み防止用のリブを、ディスク媒体が前記クランプ機構に挟持された状態において前記ディスク載置凹部から突出した前記ディスク媒体の一部に近接する位置に形成し、且つ、前記ディスク装置における高さ方向の寸法において、前記ディスク媒体入り込み防止用のリブの下端部が前記ディスク載置凹部に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする請求項３記載のディスク媒体入り込み防止リブを備えたディスク装置。
【請求項５】
前記ディスク媒体入り込み防止用のリブを、上端部が下端部よりディスク装置の奥行方向の奥側となるように形成し、前記ディスク装置の鉛直方向に対して傾けて形成したことを特徴とする請求項１乃至請求項４の何れか１つに記載のディスク媒体入り込み防止リブを備えたディスク装置。
【請求項６】
前記ディスク媒体入り込み防止用のリブを、前記フレームの両側壁の内面に形成する前記ディスクトレイの摺動方向を規制する為のガイドリブと一体的に形成したことを特徴とする請求項１乃至請求項５の何れか１つに記載のディスク媒体入り込み防止リブを備えたディスク装置。
【発明の詳細な説明】
【技術分野】
【０００１】
本発明は、ディスク媒体から信号の読み込み若しくは書き込み又は読み書きを行うディスク装置に関し、特に、ディスク媒体が装置の奥行き方向に入り込んでしまうことを防止したディスク装置に関する。
【背景技術】
【０００２】
ＣＤやＤＶＤに代表されるディスク媒体は、その取り扱いの容易さ等の理由により広く利用されており、これらのディスク媒体に対する記録／再生を行うディスク装置を利用した各種の電子機器も広く普及している。このようなディスク装置のうち、いわゆるトレイタイプのディスク装置では、ディスク媒体をディスク装置内に搬入する際に、ディスク媒体は単にディスクトレイ上に載置されているのみである（挟持させるなどの保持力が特に付されていない）ことが通常であり、ディスク装置が傾いて設置されているような場合には、ディスク媒体がディスク装置の内部（奥行方向）へ入り込んでしまうことが生じ得る。
【０００３】
このようにディスク媒体が装置の内部に入り込んでしまうと、ディスク媒体を取り出すことができなくなる場合がある他、装置の故障を引き起こす原因となる虞もある。このような問題（ディスク媒体の装置内への入り込み）を防止するための技術が特許文献１などによって開示されている。
【０００４】
【特許文献１】特開平１０−２６９６７０号公報
【発明の開示】
【発明が解決しようとする課題】
【０００５】
ディスクトレイ上に、ディスク媒体が装置内へ入り込むことを防止する為の係止部（突起）などを設けるようにした場合、ディスクトレイの摺動動作を阻害することが無いように（係止部（突起）が、摺動動作の際にフレームなどに干渉することが無いように）する必要がある等の制限により、「ディスク媒体の装置内への入り込み防止機能」を十分に得ることができない場合がある。
【０００６】
図１１には、このようなディスクトレイ上にディスク媒体が装置内へ入り込むことを防止する為の係止部（突起）１０４を設けたディスク装置９を示した。図１１（ｂ）は、同ディスク装置９におけるディスク媒体２が奥行方向に入り込む状況を説明するための説明図であり、図１１（ａ）のＢ−Ｂ線に沿った主にディスクトレイ部分の概念的な断面図（理解の容易のために不要な部分の記載を簡略化するなどした図）である。同図に示されるように、係止部１０４は、ディスクトレイ１０２の摺動動作時にクランパ１０５を支持するための梁部１０３と干渉することが無いようにその高さをｌ以下とする必要があり、図１１（ｂ）に示されるように「ディスク媒体の装置内への入り込み防止機能」を十分に発揮することができない場合がある（ディスク媒体２が係止部１０４を乗り越えてしまう場合がある）。図ではディスク装置の上面部が開放的なもの（上記問題が比較的顕著となるもの）を示したが、上面部が天板で覆われたタイプのディスク装置においても上記問題は生じ得る。
【０００７】
本発明は上述した点に鑑み、ディスク媒体から信号の読み込み若しくは書き込み又は読み書きを行うディスク装置であって、ディスク媒体が装置の奥行き方向に入り込んでしまうことを防止したディスク装置を提供することを目的とする。
【課題を解決するための手段】
【０００８】
請求項１のディスク媒体入り込み防止リブを備えたディスク装置は、ディスク媒体から信号の読み込み若しくは書き込み又は読み書きを行うディスク装置であって、当該ディスク装置の外枠を構成するフレームに対して摺動可能に設けられる前記ディスク媒体を載置するためのディスクトレイと、前記ディスク媒体を挟持するためのクランプ機構とを備え、前記フレーム両側壁の内面の、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とする。
【０００９】
上記構成によれば、フレーム両側壁の内面にそれぞれディスク媒体入り込み防止用のリブが形成され、当該両リブの先端部分の間隔が、少なくともディスク媒体の外径よりも小さく形成されるため、当該両リブを結ぶ直線上を越えてディスク媒体の外径部分が装置の奥行き方向へと入り込むことが防止される。なお、「装置の奥行方向」とは、ディスクトレイの摺動方向と略同一の方向を示しており、フレームにおいてディスクトレイが搬入又は搬出を行うための搬送口が形成されている側を“手前側”とし、前記ディスクトレイが収納される側を“奥側”としている。
【００１０】
請求項２のディスク媒体入り込み防止リブを備えたディスク装置は、請求項１記載のディスク媒体入り込み防止リブを備えたディスク装置であって、前記ディスク媒体入り込み防止用のリブを、前記ディスク装置における高さ方向の寸法において、前記ディスク媒体入り込み防止用のリブの下端部が前記ディスクトレイ上に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする。
【００１１】
上記構成によれば、ディスク媒体入り込み防止用のリブの高さ方向（ディスク装置における高さ方向）は、ディスクトレイ上に載置された状態におけるディスク媒体の下面からフレームの側壁の上端部分までの寸法を有するため、フレーム内においてディスク媒体が上下に動いても、ディスク媒体が装置の奥行き方向へ入り込もうとした場合にはディスク媒体入り込み防止用のリブに当接することとなる。なお、「装置の高さ方向」とは、ディスク装置をいわゆる横置きとした場合の垂直方向を示し、即ち、装置内に内蔵されるディスク媒体の平面と直行する方向である。
【００１２】
請求項３のディスク媒体入り込み防止リブを備えたディスク装置は、ディスク媒体から信号の読み込み若しくは書き込み又は読み書きを行うディスク装置であって、当該ディスク装置の外枠を構成するフレームに対して摺動可能に設けられ且つ前記ディスク媒体を載置するためのディスク載置凹部が形成されたディスクトレイと、前記ディスク媒体を挟持するためのクランプ機構とを備え、少なくとも前記ディスク載置凹部の幅方向の寸法を前記ディスク媒体の外径よりも小さく形成して前記ディスク載置凹部から前記ディスク媒体の一部を突出させ、前記フレーム両側壁の内面において、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とする。
【００１３】
上記構成によれば、ディスク媒体入り込み防止リブを備えたディスク装置においてディスク載置凹部からディスク媒体の一部が突出する。
【００１４】
請求項４のディスク媒体入り込み防止リブを備えたディスク装置は、請求項３記載のディスク媒体入り込み防止リブを備えたディスク装置であって、前記ディスク媒体入り込み防止用のリブを、ディスク媒体が前記クランプ機構に挟持された状態において前記ディスク載置凹部から突出した前記ディスク媒体の一部に近接する位置に形成し、且つ、前記ディスク装置における高さ方向の寸法において、前記ディスク媒体入り込み防止用のリブの下端部が前記ディスク載置凹部に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする。
【００１５】
上記構成によれば、ディスク媒体入り込み防止用のリブが、装置内に装着された（クランプ機構に挟持された）ディスク媒体の近傍部分に形成されるため、ディスク媒体が装着位置から装置の奥行き方向へ入り込もうとした場合、即座にディスク媒体入り込み防止用のリブに当接することとなる。また、ディスク媒体入り込み防止用のリブの高さ方向（ディスク装置における高さ方向）は、ディスク載置凹部に載置された状態におけるディスク媒体の下面からフレームの側壁の上端部分までの寸法を有するため、フレーム内においてディスク媒体が上下に動いても、ディスク媒体が装置の奥行き方向へ入り込もうとした場合にはディスク媒体入り込み防止用のリブに当接することとなる。
【００１６】
請求項５のディスク媒体入り込み防止リブを備えたディスク装置は、請求項１乃至請求項４の何れか１つに記載のディスク媒体入り込み防止リブを備えたディスク装置であって、前記ディスク媒体入り込み防止用のリブを、上端部が下端部よりディスク装置の奥行方向の奥側となるように形成し、前記ディスク装置の鉛直方向に対して傾けて形成したことを特徴とする。
【００１７】
上記構成によれば、ディスク媒体入り込み防止用のリブが、上端部を下端部よりディスク装置の奥行方向の奥側となるように傾けて形成されるため、これに当接するディスク媒体にはディスク装置の手前方向へと移動させようとする作用が働く。なお、「鉛直方向」とは、ディスク装置をいわゆる横置きとした場合の垂直方向を示し、即ち、装置内に内蔵されるディスク媒体の平面と直行する方向である。
【００１８】
請求項６のディスク媒体入り込み防止リブを備えたディスク装置は、請求項１乃至請求項５の何れか１つに記載のディスク媒体入り込み防止リブを備えたディスク装置であって、前記ディスク媒体入り込み防止用のリブを、前記フレームの両側壁の内面に形成する前記ディスクトレイの摺動方向を規制する為のガイドリブと一体的に形成したことを特徴とする。
【００１９】
上記構成によれば、ディスクトレイの摺動方向を規制する為にフレームの両側壁の内面に形成されるガイドリブと、ディスク媒体入り込み防止用のリブとを一体的に形成することが可能となる。
【発明の効果】
【００２０】
本発明の請求項１の、ディスク媒体から信号の読み込み若しくは書き込み又は読み書きを行うディスク装置であって、当該ディスク装置の外枠を構成するフレームに対して摺動可能に設けられる前記ディスク媒体を載置するためのディスクトレイと、前記ディスク媒体を挟持するためのクランプ機構とを備え、前記フレーム両側壁の内面の、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とするディスク媒体入り込み防止リブを備えたディスク装置によれば、フレームの両側壁の内面にそれぞれディスク媒体入り込み防止用のリブが形成され、当該リブの両先端部分の間隔が、少なくともディスク媒体の外径よりも小さく形成されるため、当該両リブを結ぶ直線上を越えてディスク媒体の外径部分が装置の奥行き方向へと入り込むことが防止される（即ち、ディスク媒体が装置の内部（奥行き方向）へと入り込むことが防止される）。
【００２１】
本発明の請求項２の、前記ディスク媒体入り込み防止用のリブを、前記ディスク装置における高さ方向の寸法において、前記ディスク媒体入り込み防止用のリブの下端部が前記ディスクトレイ上に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする請求項１記載のディスク媒体入り込み防止リブを備えたディスク装置によれば、ディスク媒体入り込み防止用のリブの高さ方向（ディスク装置における高さ方向）は、ディスクトレイ上に載置された状態におけるディスク媒体の下面からフレームの側壁の上端部分までの寸法を有するため、フレーム内においてディスク媒体が上下に動いても、ディスク媒体が装置の奥行き方向へ入り込もうとした場合にはディスク媒体入り込み防止用のリブに当接することとなり、有効に、ディスク媒体の入り込みを防止することができる。
【００２２】
本発明の請求項３の、ディスク媒体から信号の読み込み若しくは書き込み又は読み書きを行うディスク装置であって、当該ディスク装置の外枠を構成するフレームに対して摺動可能に設けられ且つ前記ディスク媒体を載置するためのディスク載置凹部が形成されたディスクトレイと、前記ディスク媒体を挟持するためのクランプ機構とを備え、少なくとも前記ディスク載置凹部の幅方向の寸法を前記ディスク媒体の外径よりも小さく形成して前記ディスク載置凹部から前記ディスク媒体の一部を突出させ、前記フレーム両側壁の内面において、前記ディスク装置内に前記ディスクトレイが搬入された状態で前記ディスク媒体の中心よりも前記ディスクトレイの摺動方向において奥側となる部分に、前記ディスク装置の内部側に突出させたディスク媒体入り込み防止用のリブを形成し、前記リブの両先端部分の間隔が少なくともディスク媒体の外径よりも小さくなるように、且つ、前記クランプ機構に挟持された状態で前記ディスク媒体に接触することが無いように形成したことを特徴とするディスク媒体入り込み防止リブを備えたディスク装置によれば、ディスク載置凹部からディスク媒体の一部が突出するため、ディスク媒体が装置の内部へ入り込もうとした際には当該突出部分が「ディスク媒体入り込み防止用のリブ」に当接するように「ディスク媒体入り込み防止用のリブ」を形成することにより、有効にディスク媒体が装置の内部へと入り込むことを防止することができる。
【００２３】
本発明の請求項４の、前記ディスク媒体入り込み防止用のリブを、ディスク媒体が前記クランプ機構に挟持された状態において前記ディスク載置凹部から突出した前記ディスク媒体の一部に近接する位置に形成し、且つ、前記ディスク装置における高さ方向の寸法において、前記ディスク媒体入り込み防止用のリブの下端部が前記ディスク載置凹部に載置された状態におけるディスク媒体の下面と略同一かそれ以下となる位置となるように形成すると共に、前記ディスク媒体入り込み防止用のリブの上端部が前記フレームの側壁の上端部分と略同一の位置となるように形成したことを特徴とする請求項３記載のディスク媒体入り込み防止リブを備えたディスク装置によれば、ディスク媒体入り込み防止用のリブが、装置内に装着されたディスク媒体の近傍部分に形成されるため、ディスク媒体が装着位置から装置の奥行き方向へ入り込もうとした場合、即座にディスク媒体入り込み防止用のリブに当接することとなり、ディスク媒体が装置の内部（奥行き方向）へと入り込むことが有効に防止される。
【００２４】
本発明の請求項５の、前記ディスク媒体入り込み防止用のリブを、上端部が下端部よりディスク装置の奥行方向の奥側となるように形成し、前記ディスク装置の鉛直方向に対して傾けて形成したことを特徴とする請求項１乃至請求項４の何れか１つに記載のディスク媒体入り込み防止リブを備えたディスク装置によれば、ディスク媒体入り込み防止用のリブを、上端部が下端部よりディスク装置の奥行方向の奥側となるように形成することにより、ディスク装置の鉛直方向に対して傾いて形成され、これに当接するディスク媒体にはディスク装置の手前方向へと移動させようとする作用が働くため、ディスク媒体入り込み防止用のリブによって、ディスク媒体を、ディスクトレイ上の本来のディスク載置位置へと導くようにさせることが可能となる。
【００２５】
本発明の請求項６の、前記ディスク媒体入り込み防止用のリブを、前記フレームの両側壁の内面に形成する前記ディスクトレイの摺動方向を規制する為のガイドリブと一体的に形成したことを特徴とする請求項１乃至請求項５の何れか１つに記載のディスク媒体入り込み防止リブを備えたディスク装置によれば、ディスクトレイの摺動方向を規制する為にフレームの両側壁の内面に設けられるガイドリブと、ディスク媒体入り込み防止用のリブとが一体的に形成されるため、装置の構成部材を削減させることが可能となる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【００２７】
図１は本実施例のディスク装置を示す図であり、図１（ａ）はディスク装置の概略斜視図、図１（ｂ）は天板部材を外した状態の概略を示す斜視図である。図２は同ディスク装置の天板部材を外した状態の上面図、図３はディスク装置を構成するフレームの概略を示す斜視図である。
【００２８】
ディスク装置１は、ディスク装置の外枠を構成する全体が概ね樹脂製のフレーム１１と、フレーム１１に対して摺動可能に設けられたディスクトレイ１２と、ディスク媒体２を挟持するためのクランパ１５と、クランパ１５を保持するため及びディスク装置１の上面部を覆うための天板部材１３などが備えられる。また、特に図示はしないが、ディスク装置１には、フレーム１１内に取り付けられるピックアップユニットや、当該ピックアップユニットをディスク媒体２の半径方向に移動させるピックアップユニット移動機構、クランパ１５との間でディスク媒体を挟持するターンテーブル、ターンテーブルを回転させるスピンドルモータなどが備えられる。フレーム１１の側壁の内面側には、ディスクトレイ１２の摺動方向を規制する為のガイドリブ１８が複数形成される。
【００２９】
図４・図５はディスクトレイ１２を示した図である。ディスクトレイ１２には上面側にディスク媒体２を載置するためのディスク載置凹部１２１が形成される。また、両側面部分には、フレーム１１にディスクトレイ１２を摺動可能なように導入させるための段差レール部１２２が形成され、当該段差レール部１２２の裏面側となる部分に、フレーム１１にディスクトレイ１２を摺動可能なように導入させるための溝部１２３が設けられる。当該溝部１２３がフレーム１１に形成される突起１９（図３）に遊嵌されると共に、段差レール部１２２がガイドリブ１８の下に入り込むように（段差レール部１２２が、突起１９が形成される段差部１６に乗るように）取り付けられることにより、フレーム１１に対してディスクトレイ１２が摺動可能に取り付けられる（本発明とは直接関係ないため詳しい説明は省略するが、実際には、ディスクトレイ１２の裏面側に形成されるトレイラック１２６とディスクトレイ１２を進退させるためのギアとが噛み合わされて取り付けられる等、他の機構との組付けも行われる）。
【００３０】
ディスクトレイ１２の段差レール部１２２を除いた部分の幅方向の寸法は、ディスク媒体２の直径よりも小さく形成されており、従って、図４（ｂ）に示されるように、ディスク媒体２をディスクトレイ１２に載置した状態において、ディスクトレイ１２の外形からディスク媒体２の一部が突出する部分（図４（ｂ）中の一点鎖線で囲った部分であり、図２におけるベタ塗り部２ａ）が形成される。
【００３１】
図２・図３に示されるように、フレーム１１の側壁の内面側には、ディスク媒体２がディスク装置１の内部へ入り込むことを防止する為のディスク媒体入り込み防止用のリブ１７が形成される。当該ディスク媒体入り込み防止用のリブ１７は、図２に示されるように、ディスク媒体２がクランプされた状態におけるディスク媒体２の中心よりも奥行き方向において奥側となる部分であって、ディスク媒体２のディスクトレイ１２の外形から突出した部分（ベタ塗り部２ａ）に近接する位置に、フレーム１１の両側壁にそれぞれ形成されるディスク媒体入り込み防止用のリブ１７の間隔（図２中のｘ）が、ディスク媒体２の外径よりも小さくなるように形成される。さらに、図３及び図６（図２のＡ−Ａ線に沿った概念的な断面図であり、理解の容易のために不要な部分の記載を簡略化すると共にディスク媒体入り込み防止用のリブ１７をやや誇張して記載するなどした図）に示されるようにディスク媒体入り込み防止用のリブ１７は、その上端部がフレーム１１の上端部と同一となるように、且つ、前記ディスク媒体入り込み防止用のリブ１７の下端部が、ディスク媒体２がディスク載置凹部１２１に載置された状態におけるディスク媒体２の下面と略同一かそれ以下となる位置となるように、形成される。
【００３２】
ディスク媒体入り込み防止用のリブ１７は、リブ１７ａ（図３）と一体的に形成されることによりガイドリブとしても機能するものである。
【００３３】
以上の構成のディスク装置１によれば、図２からも明らかなように、ディスク媒体入り込み防止用のリブ１７の間隔（図中のｘ）が、ディスク媒体２の外径よりも小さく形成されるため、ディスク媒体が装置の内部（奥行き方向）へと入り込むことが防止される。また、図６に示されるように、ディスク媒体入り込み防止用のリブ１７の高さが、ディスク載置凹部１２１に載置された状態におけるディスク媒体２の下面からフレーム１１の側壁の上端部分（即ち、天板部材１３の下面部分）までの寸法を有するため、フレーム１１内においてディスク媒体２が上下に動いても、ディスク媒体２が装置の奥行き方向（図６における右方向）へ入り込もうとした場合には、変形や破壊を伴わない限り、ディスク媒体入り込み防止用のリブ１７に当接することとなり、有効に、ディスク媒体２の装置内への入り込みを防止することができる（図１１に示した例のように、“ディスク媒体が装置内へ入り込むことを防止する為の係止部”を乗り越えてディスク媒体が装置内へ入り込むようなことが生じない）。
【００３４】
また、本実施例のディスク装置１によれば、図７に示したようにディスク媒体２がディスク載置凹部１２１からずれて載置された状態で、ディスクトレイ１２が装置内へと収納された場合であっても、ディスクトレイ１２が装置内へと収納されるに従い、ディスク媒体２がディスク媒体入り込み防止用のリブ１７に当接することとなり、ディスク媒体２の位置のズレが補正されるという効果も有する。
【００３５】
また、ディスクトレイ１２は、従前より「ディスク媒体２をディスクトレイ１２に載置した状態において、ディスク載置凹部１２１からディスク媒体２の一部が突出する部分（図２におけるベタ塗り部２ａに該当する部分）」が生じるように形成されているものが多数存在する（ディスク媒体２を手で取り上げるときの利便性や、ディスクトレイ１２（ひいてはディスク装置１）の幅方向の寸法の小型化を考慮したものである）ため、ディスクトレイ１２自体は、従来のものをそのまま利用することも可能であり、且つ、本発明を適用したことによる部品点数の増加や作業工程の増加もないため本発明を適用したディスク装置を低コストにて製造することが可能となる。
【００３６】
なお、本実施例では、天板部材１３によって上面部分を覆われたディスク装置を例として説明したが、図１１のような上面の開放部分の多いディスク装置に対しても本発明を有効に適用することができる。この場合、図８にその概念的な断面図を示したように、クランパを支持するための梁部８３の直下若しくはその近傍部分にディスク媒体入り込み防止用のリブ１７を形成することにより、有効にディスク媒体２の装置内への入り込みを防止することができる。
【００３７】
図９には、リブの上端部を下端部よりディスク装置の奥行方向の奥側とすることにより、鉛直方向に対して傾けて形成したディスク媒体入り込み防止用のリブ９７を形成したフレーム１１を示した。ディスク媒体入り込み防止用のリブ９７を、このような形状とすることにより、当該リブに当接するディスク媒体２をディスク装置の手前方向へと誘導させることが可能となるため、ディスク装置の奥行き方向へと入り込もうとしたディスク媒体２を手前方向へ誘導し、ディスクトレイ１２上の本来のディスク載置位置（ディスク載置凹部１２１内）へと導くようにさせるような効果を得ることも可能となり、有用である。なお、フレーム１１の実際の製造における“型の抜き”も考慮し、ディスク媒体入り込み防止用のリブを図９（ｂ）のような形状（ディスク媒体入り込み防止用のリブ９７ｂ）としてもよい（同様の概念である）。
【００３８】
本実施例では、「ディスク媒体２をディスクトレイ１２に載置した状態において、ディスク載置凹部１２１からディスク媒体２の一部が突出する部分が生じるように形成されているもの」について主に説明してきたが、本発明をこれに限るものではなく、ディスク載置凹部からディスク媒体２の一部が突出していない場合であっても本発明を有効に適用することができる。例えば、図１０に示したように、ディスクトレイ１２００の一部の幅方向の寸法（図中のｘ１）をディスク媒体２の外径より小さく形成し（段差レール部１２２０の一部を幅広に形成し）、ディスク媒体入り込み防止用のリブ１７の両先端部分の間隔をディスク媒体２の外径より小さく形成すること等により、ディスク媒体２の装置内への入り込みを防止することができる。
【００３９】
また、図１０では、ディスク媒体入り込み防止用のリブ１７の下端部を、ディスクトレイ１２００の上面部分（即ち、ディスクトレイ１２００上に乗るディスク媒体２の下面）より下から形成できるように、段差レール部１２２０の一部を幅広に形成するようにしているが、図１１に示したディスクトレイ１０２のごとく、係止部（突起）１０４が形成されている場合には、ディスクトレイ１０２上に乗るディスク媒体２の下面は、当該係止部１０４付近において、ディスクトレイ１０２の上面より係止部１０４の高さだけ高い位置となるため、ディスク媒体入り込み防止用のリブ１７の下端部が、ディスクトレイ１０２の上面より高くとも、「ディスクトレイ１０２上に乗るディスク媒体２の下面」より下となるようにすることが可能であり、このような場合（ディスク媒体２が装置内へ入り込むことを防止する為に特に設けられた突起でなくとも、ディスクトレイ上に突起状のものが形成されているのであれば、これを利用することができる）には、図１０のごとくディスクトレイの一部を切り欠くような形状と（段差レール部１２２０の一部を幅広に形成）しなくても、有効にディスク媒体２の装置内への入り込みを防止することができる。また、ディスク媒体入り込み防止用のリブ１７の下端部が、ディスクトレイの上面部分より上となる場合であっても、当該リブ１７の下端部とトレイの上面部との間の隙間をディスク媒体２の厚さより小さく形成できるのであれば、ディスク媒体２の装置内への入り込みを防止することができるため、このような場合には、係止部１０４が無くても、ディスクトレイの一部を切り欠くような形状としなくともよい。
【００４０】
本実施例では、ディスク媒体入り込み防止用のリブ１７を、フレーム１１の両側壁に１つずつ形成するものとしたが、複数形成するものであっても構わない。
【図面の簡単な説明】
【００４１】
【図１】ディスク装置の概略を示す図であり、（ａ）：斜視図、（ｂ）：天板部材を外した状態を示す斜視図
【図２】ディスク装置の天板部材を外した状態を示す平面図
【図３】ディスク装置を構成するフレームを示す斜視図
【図４】ディスクトレイを示す図であり、（ａ）：斜視図、（ｂ）：ディスク媒体が載置された状態を示す斜視図
【図５】ディスクトレイを示す図であり、（ａ）：平面図、（ｂ）：側面図、（ｃ）：底面図
【図６】図２のＡ−Ａ線に沿った概念的な断面図
【図７】ディスクトレイにディスク媒体がずれて載置された状態を示す図
【図８】別のディスク装置の概念的な断面図
【図９】別のディスク媒体入り込み防止用のリブが形成されたフレームを示す斜視図
【図１０】別のディスク装置の天板部材を外した状態を示す平面図
【図１１】ディスクトレイ上にディスク媒体入り込み防止用の係止部を設けたディスク装置を示す図であり、（ａ）：斜視図、（ｂ）：図（ａ）のＢ−Ｂ線に沿った概念的な断面図
【符号の説明】
【００４２】
１      ディスク装置
２      ディスク媒体
１１    フレーム
１２    ディスクトレイ
１３    天板部材
１２１  ディスク載置凹部
１５    クランパ（クランプ機構）
１７    ディスク媒体入り込み防止用リブ
１８    ガイドリブ
【図１】
2007149270.tif 000003
【図２】
2007149270.tif 000004
【図３】
2007149270.tif 000005
【図４】
2007149270.tif 000006
【図５】
2007149270.tif 000007
【図６】
2007149270.tif 000008
【図７】
2007149270.tif 000009
【図８】
2007149270.tif 000010
【図９】
2007149270.tif 000011
【図１０】
2007149270.tif 000012
【図１１】
2007149270.tif 000013